(57)【要約】【課題】床衝撃音をより低減させることができる構造の建物を提供する。【解決手段】床スラブ１２上に配置された複数の支持脚１３と、支持脚の支柱１６の上端部に設けられた基材固定部（台座１７、根太１７ａ）と、複数の基材１８と複数の下地材１９と床仕上げ材２０とを備えた床１と、床の下地材の上に構築されて内側に壁内空間６を有した壁（間仕切り壁３）と、を備えた建物において、基材固定部が壁の真下に位置される床下空間以外に配置されるとともに、壁の壁面と床の下地材との境界線２１に沿った方向に延長する互いに隣り合う基材と基材との継ぎ目２５及び下地材と下地材との継ぎ目２６が壁の真下以外の位置に配置され、かつ、壁の真下に位置する基材と下地材と当該下地材の上に設けられた間柱建て込み部材（床側ランナー３１）とには、当該基材と下地材と間柱建て込み部材とを貫通して壁の壁内空間と床下空間５とを連通させる空気流通孔７を備えた。【選択図】図１
2014148803.tif 000002
【特許請求の範囲】
【請求項１】
床スラブと、床スラブ上に設置される防振ゴムと下部が防振ゴムに取付けられた支柱とを備えて床スラブ上に配置された複数の支持脚と、支持脚の支柱の上端部に設けられた基材固定部と、複数の基材固定部により形成された床レベル面上に互いに隣り合うように配置されて基材固定部に固定された複数の基材と複数の基材の上に互いに隣り合うように配置されて基材に固定された複数の下地材と複数の下地材の上に設けられた床仕上げ材とを備えた床と、床の下地材の上に構築されて内側に壁内空間を有した壁と、を備えた建物において、
基材固定部が壁の真下に位置される床下空間以外に配置されるとともに、壁の壁面と床の下地材との境界線に沿った方向に延長する互いに隣り合う基材と基材との継ぎ目及び下地材と下地材との継ぎ目が壁の真下以外の位置に配置され、かつ、壁の真下に位置する基材と下地材と当該下地材の上に設けられた間柱建て込み部材とには、当該基材と下地材と間柱建て込み部材とを貫通して壁の壁内空間と床下空間とを連通させる空気流通孔を備えたことを特徴とする建物。
【請求項２】
壁の真下位置近傍の床下空間に設けられる基材固定部は、壁の壁面と床の下地材との境界線に沿った方向に延長する長尺材により形成されて複数の支持脚の支柱に支持された根太により形成されたことを特徴とする請求項１に記載の建物。
【請求項３】
空気流通孔は、壁の壁面と床の下地材との境界線に沿った方向に間隔を隔てて複数設けられ、当該間隔は根太を形成する長尺材の長手方向の長さ寸法よりも小さいことを特徴とする請求項２に記載の建物。
【発明の詳細な説明】
【技術分野】
【０００１】
本発明は、床衝撃音を低減できる建物に関するものである。
【背景技術】
【０００２】
床スラブの上に防振ゴム付きの支持脚を配置してこれら支持脚の上に床を形成した後に、当該床の上に間仕切り壁を形成する床先行工法により構築された建物が知られている（特許文献１；２等参照）。
上記床先行工法により構築された建物において、室内の床を形成する床部材の端面と間仕切り壁を支持する床部材の端面との間に隙間を形成し、床に床衝撃音が加わった場合に床下空間に生じた圧力波を上記隙間を介して床上空間に逃がす空気流通経路が確保されるようにすることで床衝撃音を低減させる建物も知られている（特許文献３；４等参照）。
【先行技術文献】
【特許文献】
【０００３】
【特許文献１】特開２００２−１０６０８８号公報
【特許文献２】特開２００４−２５７０５９号公報
【特許文献３】特開２００６−２８９５２号公報
【特許文献４】特開２０００−２７４１６号公報
【発明の概要】
【発明が解決しようとする課題】
【０００４】
しかしながら、上述したように、室内の床を形成する床部材の端面と間仕切り壁を支持する床部材の端面との間に隙間を形成した場合、室内側から当該隙間を介して床下空間が目視されて美観が損なわれる可能性があり、床下空間の冷気や暖気が室内に床側から侵入してしまって断熱性能が損なわれる可能性もあった。また、室内の床を形成する床部材の間仕切り壁際の端部の沈み込みを防止するために支持脚による床支持構造を強化しなければならず、さらに、間仕切り壁及び間仕切り壁下の床部材を支持するための支持脚による間仕切り壁支持構造も強化しなければならないので、支持脚の使用個数が多くなりコスト高となってしまう可能性もあった。
本発明は、美観や断熱性能を損ない難く、かつ、安価に、床衝撃音をより低減させることが可能な建物を提供する。
【課題を解決するための手段】
【０００５】
本発明に係る建物は、床スラブ（１２）と、床スラブ上に設置される防振ゴム（１５）と下部が防振ゴムに取付けられた支柱（１６）とを備えて床スラブ上に配置された複数の支持脚（１３）と、支持脚の支柱の上端部に設けられた基材固定部（台座１７；根太１７ａ）と、複数の基材固定部により形成された床レベル面上に互いに隣り合うように配置されて基材固定部に固定された複数の基材（１８）と複数の基材の上に互いに隣り合うように配置されて基材に固定された複数の下地材（１９）と複数の下地材の上に設けられた床仕上げ材（２０）とを備えた床（１）と、床の下地材の上に構築されて内側に壁内空間（６）を有した壁（間仕切り壁３）と、を備えた建物において、基材固定部が壁の真下に位置される床下空間（５）以外に配置されるとともに、壁の壁面と床の下地材との境界線（２１）に沿った方向に延長する互いに隣り合う基材と基材との継ぎ目（２５）及び下地材と下地材との継ぎ目（２６）が壁の真下以外の位置に配置され、かつ、壁の真下に位置する基材と下地材と当該下地材の上に設けられた間柱建て込み部材（床側ランナー３１）とには、当該基材と下地材と間柱建て込み部材とを貫通して壁の壁内空間と床下空間とを連通させる空気流通孔（７）を備えたので、美観や断熱性能を損ない難く、かつ、安価に、床衝撃音をより低減させることができる。また、壁の真下に位置される床下空間には、基材固定部が存在しないので、壁の壁内空間の下端が対応する下地材の上面のどこの位置に空気流通孔を形成してもよくなり、空気流通孔を設ける場所が制限されることがなくなる。さらに、上記境界線（２１）に沿った方向に延長する互いに隣り合う基材と基材との継ぎ目（２５）及び下地材と下地材との継ぎ目（２６）が壁の真下位置に位置されて継ぎ目に空気流通孔（７）が形成される構成を回避でき、壁の真下位置に位置される基材及び下地材の強度低下を防止できる。
また、壁の真下位置近傍の床下空間に設けられる基材固定部は、壁の壁面と床の下地材との境界線（２１）に沿った方向に延長する長尺材により形成されて複数の支持脚の支柱に支持された根太（１７ａ）により形成されたので、壁の荷重を根太で支えることが可能となり、壁の壁際の床の沈み込みを防止できる。
また、空気流通孔（７）は、壁の壁面と床の下地材との境界線（２１）に沿った方向に間隔（ａ）を隔てて複数設けられ、当該間隔は根太を形成する長尺材の長手方向の長さ寸法よりも小さいので、空気流通孔の個数を多くでき、床衝撃音低減効果を向上させることができる。
【図面の簡単な説明】
【０００６】
【図１】建物を示す断面図。
【図２】台座、根太、基材、基材の継ぎ目、空気流通孔、間仕切り壁の位置関係を示す平面図。
【図３】空気流通孔と根太との位置関係を示す斜視図。
【図４】システム根太を示す図。
【発明を実施するための形態】
【０００７】
図１に示すように、実施形態に係る建物は、床スラブ１２と、床スラブ１２上に配置された複数の支持脚１３と、支持脚１３の支柱１６の上端部に設けられた基材固定部と、複数の基材固定部により形成された床レベル面上に形成された床１と、床１の下地材１９上に構築されて内側に壁内空間６を有した壁としての間仕切り壁３と、天井構造４と、間仕切り壁３の壁内空間６と床下空間５とを空気が流通可能なように連通させる第１の通気部としての空気流通孔７と、壁内空間６と天井構造４の天井裏空間８とを空気が流通可能なように連通させる第２の通気部９と、天井裏空間８と室内空間１０とを空気が流通可能なように連通させる第３の通気部１１とを備えた建物である。
実施形態に係る建物によれば、ある室内の床１に床衝撃音が加わった場合に床下空間５で生じた圧力波が、ある室内の床下空間５、第１の通気部としての空気流通孔７、壁内空間６、第２の通気部９、天井裏空間８、第３の通気部１１、室内空間１０を経て減衰して、床衝撃音をより低減させることができるとともに、ある室内の床１に床衝撃音が加わった場合に床下空間５で生じた圧力波が、ある室内の床下空間５から間仕切り壁３の下の床下空間５を通過して間仕切り壁３を隔てたある室内の隣の室内の床下空間５を経て減衰して、床衝撃音をより低減させることができる。
実施形態の建物では、床スラブ１２と床スラブ１２上に配置された複数の支持脚１３で支持された床１とによって、所謂、二重床が構成される。床下空間５は、床スラブ１２と床１との間の空間である。
【０００８】
支持脚１３は、床スラブ１２上に設置される防振ゴム１５と、下部が防振ゴム１５に取付けられて防振ゴム１５に支持された支柱１６と、支柱１６の上端部に設けられた基材固定部としての台座１７又は根太１７ａとを備える。支柱１６の上部の外周面は雄ねじ部に形成される。
台座１７は、例えば、パーティクルボード、あるいは、構造用合板等で形成される。台座１７は、台座１７の上下面に貫通する図外の貫通孔を備え、この貫通孔内には当該貫通孔を上下に貫通する筒体１８ｇが固定され、この筒体１８ｇの内周面は支柱１６の雄ねじ部が螺着する図外の雌ねじ部に形成される。
根太１７ａは、例えば、図３；図４に示すように、一つの直線方向（長手方向）に長い長尺な角柱材により形成される。当該角柱材の長手方向に延長する４つの柱面のうちの１つの柱面により形成された下面における長手方向の両端側がそれぞれ支持脚１３；１３で支持される。根太１７ａの長手方向の両端側には、根太１７ａの上下面に貫通する図外の貫通孔を備え、この貫通孔内には当該貫通孔を上下に貫通する筒体１８ｇが固定され、この筒体１８ｇの内周面は支柱１６の雄ねじ部が螺着する図外の雌ねじ部に形成される。
つまり、支持脚１３は、支柱１６の外周面に形成された雄ねじ部の雄ねじと筒体１８ｇの内周面に形成された雌ねじ部の雌ねじとのねじ嵌合により、台座１７又は根太１７ａを支柱１６に対して上下に移動できるように構成され、台座１７又は根太１７ａのレベル（高さ）を調整して床１のレベル（高さ）を調整できる構成である。
図４に示すような複数の支持脚１３によって根太１７ａが支持された構成のものはシステム根太と呼ばれる。
【０００９】
図１；３に示すように、床１は、複数の基材固定部により形成された床レベル面上に互いに隣り合うように配置された複数の基材１８；１８…と、当該複数の基材１８；１８…の上に互いに隣り合うように配置された複数の下地材１９；１９…と、当該複数の下地材１９；１９…の上に設けられた床仕上げ材２０と、を備える。
基材１８と基材固定部としての台座１７又は根太１７ａとが図外の固定手段により固定され、基材１８と下地材１９とが図外の固定手段により固定される。
複数の基材１８；１８…は、複数の支持脚１３の上部に設けられた基材固定部としての台座１７又は根太１７ａ上に載置されて水平面を形成するように並べられて固定手段により台座１７又は根太１７ａに固定される。基材１８を構成する板材としては、例えば、パーティクルボード、構造用合板等が用いられる。
複数の下地材１９；１９…は、複数の基材１８；１８…の上に載置されて水平面を形成するように並べられて図外の固定手段により基材１８に固定される。下地材１９を構成する板材としては、例えば、パーティクルボード、強化パーティクルボード（通常のパーティクルボードよりもプレス圧を大きくして硬く形成されたパーティクルボード）、構造用合板、石膏ボード、珪酸カルシウム板、ガラス繊維不織布入り石膏ボード等が用いられる。
下地材１９の上面に床仕上げ材２０が取付けられる。床仕上げ材２０は、フローリング床材、カーペット、タイル、絨毯、石板、畳等により構成される。
尚、上記図外の固定手段としては、例えば、釘、スクリュー釘、タッカー針、ビス等が用いられる。
【００１０】
間仕切り壁３は、床１の下地材１９上に載置されて下地材１９に固定された床側ランナー３１と、天井スラブ４１に固定された天井側ランナー３２と、間柱３３と、壁板構成部３４とにより構成される。
間柱建て込み部材としての床側ランナー３１及び天井側ランナー３２は、例えば、長尺な方向と直交する方向に切断された断面が凹形状の長尺材により形成される。即ち、長尺な帯板状の基板３５の両方の長辺縁より同じ方向に延長して当該基板に対して垂直な立ち上がり板３６；３７を備え、当該基板３５と両方の立ち上がり板３６；３７とで囲まれた凹部を備える。
床側ランナー３１は、凹部の開口を上に向けて下地材１９上における複数の間柱３３の下端の設置予定位置に配置されて下地材１９に図外のスクリュー釘等の固定手段により固定される。天井側ランナー３２は、凹部の開口を下に向けて天井スラブ４１面における複数の間柱３３の上端の設置予定位置に配置されて天井スラブ４１にアンカーボルト３８等の固定手段により固定される。
間柱３３は、木製又は金属製の長尺材により形成される。間柱３３は、下端部が床側ランナー３１の凹部の開口を介して当該凹部内に位置され、上端部が天井側ランナー３２の凹部開口を介して当該凹部内に位置されることによって、上下の床側ランナー３１及び天井側ランナー３２内に建て込まれる。間柱３３は、床側ランナー３１、及び、天井側ランナー３２の延長方向において所定間隔隔てて複数本設置される。これら複数の間柱３３の一方の面と各ランナー３１；３２の一方の立ち上がり板３６の外面により構成された一方の壁下地面３３ａ、及び、これら複数の間柱３３の他方の面と各ランナー３１；３２の他方の立ち上がり板３７の外面により形成された他方の壁下地面３３ｂに対して、壁板構成部３４が設けられる。
例えば、一方の壁下地面３３ａを覆うように複数の壁板２を設置して当該壁板２を間柱３３にビス止め等で固定するとともに、他方の壁下地面３３ｂを覆うように複数の壁板２を設置して当該壁板２を間柱３３にビス止め等で固定することにより、壁板２；２が間柱３３を挟んで対向するように配置されて隣り合う間柱３３と間柱３３との間に壁内空間６が形成される。
壁板構成部３４は、壁板２と壁板２の表面に設けられた壁仕上げ材２ａとを備えて構成される。
例えば石膏ボード等の壁板２の表面にクロス、塗装等の壁仕上げ材２ａが設けられて間仕切り壁３の壁板構成部３４が形成される。
壁板２の表面と床仕上げ材２０の端面とが例えば数ｍｍ程度の隙間を隔てて離間するように構成され、壁板２の表面の下端部には、巾木５０が設けられる。
【００１１】
支持脚１３の上端部に設けられた基材固定部としての台座１７及び根太１７ａが間仕切り壁３の真下に位置される床下空間５以外に配置される。即ち、間仕切り壁３の真下に位置される床下空間５には、台座１７及び根太１７ａが存在せず、何も存在しないので、間仕切り壁３の壁内空間６の下端が対応する下地材１９の上面のどこの位置に空気流通孔７を形成してもよくなり、空気流通孔７を設ける場所が制限されることがなくなる。
尚、間仕切り壁３の真下とは、間仕切り壁３の壁面を形成する相対向する一対の壁板２；２の両方の表面間の下方に位置する下地材１９、基材１８、床下空間５を言う。
空気流通孔７は、間仕切り壁３の真下に位置される基材１８に形成された貫通孔７１と、間仕切り壁３の真下に位置される下地材１９に形成された貫通孔７２と、間仕切り壁３の壁内空間６の下端に位置された床側ランナーの基板３５に形成された貫通孔７３とが連通する連通孔により構成される。例えば、間仕切り壁３の真下に位置される下地材１９の位置に当該下地材１９及び基材１８を貫通するように貫通孔７２及び貫通孔７１を形成した後、下地材１９上に貫通孔７２の位置を示す墨出しを行い、間仕切り壁３の下端位置に対応する下地材１９上に貫通孔７２を覆うように床側ランナー３１を設置し、貫通孔７２の位置を示す墨を目印にして床側ランナー３１の基板３５に貫通孔７３を形成する。
【００１２】
図１；図２に示すように、間仕切り壁３の壁面と床１の下地材１９との境界線２１に沿った方向に延長する互いに隣り合う基材１８と基材１８との継ぎ目２５、及び、上記境界線２１に沿った方向に延長する互いに隣り合う下地材１９と下地材１９との継ぎ目２６が、間仕切り壁３の真下以外の位置に配置されるように、複数の基材１８；１８…、及び、複数の下地材１９；１９…を割り付けて配置する。これにより、上記境界線２１に沿った方向に延長する互いに隣り合う基材１８と基材１８との継ぎ目２５及び下地材１９と下地材１９との継ぎ目２６が間仕切り壁３の真下位置に位置されて継ぎ目２５；２６に空気流通孔７が形成される構成を回避でき、間仕切り壁３の真下位置に位置される基材１８及び下地材１９の強度低下を防止できる。
【００１３】
間仕切り壁３の真下位置近傍の床下空間５において、根太１７ａの長手方向が間仕切り壁３の壁面と床１の下地材１９との境界線２１に沿った方向に延長するように複数の根太１７ａを間隔ｂ（図３参照）を隔てて設置する。
例えば、間仕切り壁３の壁の厚さ寸法（間仕切り壁３の壁面を形成する相対向する一対の壁板２；２の両方の表面間の距離）が７０ｍｍの場合、間仕切り壁３の中心位置ｘと根太の中心位置ｙとが５０ｍｍ離れて位置されるように根太１７ａを設置する（図１参照）。このように、間仕切り壁３の真下位置近傍の床下空間５において根太１７ａを設置することにより、間仕切り壁３の真下の位置に根太１７ａを設置せずとも、間仕切り壁３の荷重を根太１７ａで支えることが可能となり、間仕切り壁３の壁際の床１の沈み込みを防止できる。
即ち、間仕切り壁３の真下位置近傍の床下空間５において設置された基材固定部としての根太１７ａが、間仕切り壁３の壁面と床１の下地材１９との境界線２１に沿った方向に延長する長尺材により形成されて複数の支持脚１３の支柱１６に支持された根太１７ａにより形成されたことで、間仕切り壁３の荷重を根太１７ａで支えることが可能となり、間仕切り壁３の壁際の床１の沈み込みを防止できる。
【００１４】
図３に示すように、空気流通孔７は、間仕切り壁３の壁面を形成する壁板２の表面と床１の下地材１９との境界線２１に沿った方向に間隔ａを隔てて複数設けられる。実施形態では、当該間隔ａを根太１７ａを形成する長尺材の長手方向の長さ寸法Ｌよりも小さくできるので、当該間隔ａを根太１７ａを形成する長尺材の長手方向の長さ寸法Ｌよりも小さくすることによって、間仕切り壁３の真下の床下空間５に根太１７ａを設置する場合と比べて、空気流通孔７の個数を多くでき、床衝撃音低減効果を向上させることができる。
【００１５】
尚、継ぎ目とは、互いに隣り合うように配置された基材１８の端面と基材１８の端面との間の設定される基材１８；１８間の隙間や、互いに隣り合うように配置された下地材１９の端面と下地材１９の端面との間の設定される下地材１９；１９間の隙間のことであり、例えば、互いに隣り合う基材１８と基材１８との継ぎ目２５を形成する基材１８；１８間の隙間は１５ｍｍ程度、互いに隣り合う下地材１９と下地材１９との継ぎ目２６を形成する下地材１９；１９間の隙間は２〜３ｍｍ程度である。
また、床側ランナー３１の幅（基板３５における立ち上がり板３６；３７間の距離）が４０ｍｍ〜４５ｍｍ程度の場合、空気流通孔７を形成する断面円形孔の径は３０ｍｍ程度とすればよい。
また、互いに隣り合う空気流通孔７の間隔ａ（図２;図３参照）は例えば３００ｍｍ程度とすればよい。
尚、空気流通孔７は、上記境界線２１に沿った方向に長い長孔により形成してもよい。
【００１６】
図１に示すように、天井構造４は、天井スラブ４１に設けられた吊ボルト４２と、吊ボルト４２に取付けられた野縁受保持具としてのハンガー４３、野縁受４４、野縁取付具４５、野縁４６、野縁４６に取付けられた天井ボード、化粧板等の天井板４７を備えた構成であり、天井裏空間８は、天井スラブ４１と天井板４７との間の空間である。即ち、天井構造４は、天井スラブ４１に埋設されたインサートナット４８に吊ボルト４２を締結して吊ボルト４２を天井スラブ４１より下方に突出するように設け、吊ボルト４２にハンガー４３を取付け、ハンガー４３に野縁受４４を取付け、野縁取付具４５により野縁４６を野縁受４４に取付け、野縁４６の下に天井板４７がビス等で取付けられて構成される。
【００１７】
壁内空間６と天井裏空間８とを空気が流通可能なように連通させる第２の通気部９は、例えば、壁板２の上端と天井側ランナー３１の立ち上がり板３６；３７の下端とを離すことにより、当該壁板２の上端と天井側ランナー３１の立ち上がり板３６；３７の下端との間に形成された開口により構成される。尚、図示しないが、壁板２の上端を天井側ランナー３１の立ち上がり板３６；３７の表面に位置させた構成の場合には、天井板４７と天井側ランナー３１の立ち上がり板３６；３７の下端との間に位置する壁板２に貫通孔を設けて、当該貫通孔により第２の通気部９を構成してもよい。
【００１８】
天井裏空間８と室内空間１０とを空気が流通可能なように連通させる第３の通気部１１は、例えば、図１に示すように天井板４７に形成された貫通孔により構成されたり、あるいは、図示しないが天井板４７の端面と壁板構成部３４の表面との間に第３の通気部１１として機能する隙間を設けることにより構成してもよい。
【００１９】
実施形態によれば、空気流通孔７が間仕切り壁３の真下に位置するので、室内側から空気流通孔７を介して床下空間５が目視されてしまうことがなく美観が損なわれてしまうことを防止できる。また、空気流通孔７と室内空間１０とに空気が直接に流通可能な構造とはなっていないので、室内の断熱性能が損なわれ難い。また、支持脚１３が間仕切り壁３の真下に位置される床下空間５以外に配置されるので、支持脚１３の使用個数を少なくできて、かつ、間仕切り壁３を支持できるようになるので、建物コストを安価にできる。
そして、空気流通孔７を備えたので、床１に床衝撃音が加わった場合に床衝撃音をより低減させることができる。
即ち、美観や断熱性能を損ない難く、かつ、安価に、床衝撃音をより低減させることが可能な建物を提供できる。
【００２０】
間仕切り壁３の真下位置近傍の床下空間５において、上述した境界線２１に沿った方向に延長するように設置される基材固定部としては、台座１７を用いてもよい。
間柱建て込み部材として、床側ランナー３１の代わりに土台と呼ばれる木製の下地材を用いるようにしてもよい。この土台を用いた床先行工法で構築される建物の場合、土台に形成した貫通孔と基材１８及び下地材１９に形成した貫通孔とで空気流通孔７を構成したり、土台と土台との間の基材１８及び下地材１９に形成した貫通孔により空気流通孔７を構成すればよい。
【符号の説明】
【００２１】
１  床、３  間仕切り壁（壁）、５  床下空間、６  壁内空間、７  空気流通孔、
１２  床スラブ、１３  支持脚、１５  防振ゴム、１６  支柱、
１７  台座（基材固定部）、１７ａ  根太（基材固定部）、１８  基材、１９  下地材、
２０  床仕上げ材、２１  境界線、２５；２６  継ぎ目、
３１  床側ランナー（間柱建て込み部材）、ａ  間隔。
【図１】
2014148803.tif 000003
【図２】
2014148803.tif 000004
【図３】
2014148803.tif 000005
【図４】
2014148803.tif 000006